(57)【要約】【課題】  出入口開口を妻面に対してできるだけ大きく形成できるようにし、しかも、開閉装置を簡易な構造で安価になるようにこの大きな出入口開口に対応できるようにする。【解決手段】  骨組２に樹脂シート３を被覆して内部空間を形成するハウス本体１を有し、ハウス本体１の妻面６に出入口開口７を形成し、出入口開口７を開閉する開閉装置１０を備え、開閉装置１０を、出入口開口７を覆う大きさの樹脂シートからなり出入口開口７を開閉する被覆シート１１と、出入口開口７の両側縁外側に夫々立設される一対の支柱１３と、出入口開口７の上縁上側であって一対の支柱１３間に回転可能に架設され回転により被覆シート１１を巻き取り巻き戻しして出入口開口７の開閉を行なわせる被覆開閉シャフト１４と、被覆開閉シャフト１４を回転駆動する被覆開閉シャフト駆動機構２０とを備えて構成した。【選択図】  図１
0003118861.tif 000002
【実用新案登録請求の範囲】
【請求項１】
骨組に樹脂シートを被覆して内部空間を形成するハウス本体を有し、該ハウス本体の妻面に出入口開口を形成し、該出入口開口を開閉する開閉装置を備えた簡易ハウスにおいて、
上記開閉装置を、上記出入口開口を覆う大きさの樹脂シートからなり該出入口開口を開閉する被覆シートと、上記出入口開口の両側縁外側に夫々立設される一対の支柱と、上記出入口開口の上縁上側であって上記一対の支柱間に回転可能に架設され回転により上記被覆シートを巻き取り巻き戻しして該被覆シートによる上記出入口開口の開閉を行なわせる被覆開閉シャフトと、該被覆開閉シャフトを回転駆動する被覆開閉シャフト駆動機構とを備えて構成したことを特徴とする簡易ハウス。
【請求項２】
上記被覆シートの下側縁に該下側縁に沿うロッドを付設し、上記支柱に上記被覆シートの巻き取り巻き戻し時に上記ロッドの端部をガイドするガイドレール部を設けたことを特徴とする請求項１記載の簡易ハウス。
【請求項３】
上記被覆開閉シャフト駆動機構を、上記被覆開閉シャフトの端部に設けられチェーンが巻き掛けられるスプロケットと、該スプロケットに巻き掛けられ上記支柱に沿って吊下されるエンドレスのチェーンとを備えて構成したことを特徴とする請求項１または２記載の簡易ハウス。
【請求項４】
上記開閉装置を、上記出入口開口を覆う大きさのシートであって通気性の網状部を有し該出入口開口を開閉する通気シートと、上記出入口開口の上縁上側であって上記一対の支柱間に回転可能に架設され回転により上記通気シートを巻き取り巻き戻しして該通気シートによる上記出入口開口の開閉を行なわせる通気開閉シャフトと、該通気開閉シャフトを回転駆動する通気開閉シャフト駆動機構とを備えて構成したことを特徴とする請求項１乃至３いずれかに記載の簡易ハウス。
【請求項５】
上記通気シートの下側縁に該下側縁に沿うロッドを付設し、上記支柱に上記通気シートの巻き取り巻き戻し時に上記ロッドの端部をガイドするガイドレール部を設けたことを特徴とする請求項４記載の簡易ハウス。
【請求項６】
上記通気開閉シャフト駆動機構を、上記通気開閉シャフトの端部に設けられチェーンが巻き掛けられるスプロケットと、該スプロケットに巻き掛けられ上記支柱に沿って吊下されるエンドレスのチェーンとを備えて構成したことを特徴とする請求項４または５記載の簡易ハウス。
【考案の詳細な説明】
【技術分野】
【０００１】
本考案は、農業において各種作物などを栽培するため等に用いられ樹脂シートを被覆して内部空間を形成するハウス本体を備えた簡易ハウスに係り、特に、ハウス本体の妻面に設けられた出入口開口を開閉する開閉装置を備えた簡易ハウスに関する。
【背景技術】
【０００２】
従来、この種の簡易ハウスとしては、例えば、特許文献１（特開平１１−２４３７９０号公報）に記載されたものが知られている。
【０００３】
図７に示すように、この簡易ハウスＨａは、骨組１０１に樹脂シート１０２を被覆して内部空間を形成するハウス本体１００を有し、ハウス本体１００の妻面１０３に出入口開口１０４を形成し、この出入口開口１０４を開閉する開閉装置１１０を備えている。
開閉装置１１０は、出入口開口１０４を開閉する左右一対の引戸１１１ａ，１１１ｂと、出入口開口１０４の下縁に沿って付設され引戸１１１ａ，１１１ｂを移動可能にガイドする下レール１１２と、出入口開口１０４の上縁に沿って付設され引戸１１１ａ，１１１ｂを移動可能にガイドする上レール１１３とを備えて構成されている。引戸１１１ａ，１１１ｂの下部には下レール１１２を転動する戸車（図示せず）が取付けられ、引戸１１１ａ，１１１ｂの上部には上レール１１３を摺動するスライダ（図示せず）が取付けられている。
【０００４】
【特許文献１】特開平１１−２４３７９０号公報
【考案の開示】
【考案が解決しようとする課題】
【０００５】
ところで、このような簡易ハウスＨａの出入口開口１０４の従来の開閉装置１１０にあっては、引戸１１１ａ，１１１ｂを開閉するので、引戸１１１ａ，１１１ｂの開時に引戸１１１ａ，１１１ｂを妻面１０３に保持しなければならないことから、それだけ、妻面１０３に設ける出入口開口１０４の大きさが制限されてしまうという問題があった。即ち、少なくとも引戸１１１ａ，１１１ｂと同じ大きさ（出入口開口１０４の左右方向略半分の大きさ）の矩形部分１０３ａ，１０３ｂを出入口開口１０４の両側に確保しなければならないことになり、その分、出入口開口１０４の上下方向の高さ及び左右方向の幅が制限されてしまう。そのため、例えば、トラクタや耕運機などの車両をハウス本体１００内に入れて作業をしたいような場合に、これに対応できないという問題があった。
また、引戸１１１ａ，１１１ｂは剛体にしなければならないし、これを移動させる戸車やスライドも設けなければならないことから、それだけ、製造も煩雑でコスト高になっているという問題もあった。
【０００６】
本考案は上記の問題点に鑑みて為されたもので、出入口開口を妻面に対してできるだけ大きく形成できるようにし、しかも、開閉装置を簡易な構造で安価になるようにこの大きな出入口開口に対応できるようにした簡易ハウスを提供することを目的とする。
【課題を解決するための手段】
【０００７】
このような目的を達成するための本考案の簡易ハウスは、骨組に樹脂シートを被覆して内部空間を形成するハウス本体を有し、該ハウス本体の妻面に出入口開口を形成し、該出入口開口を開閉する開閉装置を備えた簡易ハウスにおいて、
上記開閉装置を、上記出入口開口を覆う大きさの樹脂シートからなり該出入口開口を開閉する被覆シートと、上記出入口開口の両側縁外側に夫々立設される一対の支柱と、上記出入口開口の上縁上側であって上記一対の支柱間に回転可能に架設され回転により上記被覆シートを巻き取り巻き戻しして該被覆シートによる上記出入口開口の開閉を行なわせる被覆開閉シャフトと、該被覆開閉シャフトを回転駆動する被覆開閉シャフト駆動機構とを備えて構成している。
【０００８】
これにより、出入口開口を開く場合は、開閉装置において、被覆開閉シャフト駆動機構を駆動して、被覆開閉シャフトを回転させ、被覆シートを被覆開閉シャフトに巻き取る。これにより、出入口開口が開放される。
一方、出入口開口を閉じておく場合は、開閉装置において、被覆開閉シャフト駆動機構を駆動して、被覆開閉シャフトを回転させ、被覆シートを被覆開閉シャフトから巻き戻す。これにより、出入口開口が被覆シートによって遮断される。
【０００９】
このように、出入口開口を、出入口開口の上側に設けた被覆開閉シャフトに巻き取り巻き戻しされる被覆シートにより開閉するので、従来の引戸のように、出入口開口の左右方向略半分の大きさの矩形部分を出入口開口の両側に確保しなくても良いことになり、それだけ、出入口開口を妻面に対してできるだけ大きく形成できる。その結果、トラクタや耕運機などの車両をハウス本体内に入れて作業をしたいような場合に、これに容易に対応できる。また、資材や作物の搬入，搬出を容易に行なうことができるようになる。
更に、被覆開閉シャフトを回転させて、被覆シートを被覆開閉シャフトに巻き取り巻き戻しする構造なので、構造が簡易であり、安価にすることができる。
【００１０】
そして、必要に応じ、上記被覆シートの下側縁に該下側縁に沿うロッドを付設し、上記支柱に上記被覆シートの巻き取り巻き戻し時に上記ロッドの端部をガイドするガイドレール部を設けた構成としている。被覆シートの巻き取り巻き戻しの際に、被覆シートが下側縁のロッドに引っ張られるのでよく展張し、また、ロッドはガイドレール部にガイドされるので、被覆シートの下側縁の上下動が円滑に行なわれ、開閉が確実に行なわれる。
【００１１】
また、必要に応じ、上記被覆開閉シャフト駆動機構を、上記被覆開閉シャフトの端部に設けられチェーンが巻き掛けられるスプロケットと、該スプロケットに巻き掛けられ上記支柱に沿って吊下されるエンドレスのチェーンとを備えて構成している。構造を簡単にして安価に製造することができ、汎用性を向上させることができる。
【００１２】
そしてまた、必要に応じ、上記開閉装置を、上記出入口開口を覆う大きさのシートであって通気性の網状部を有し該出入口開口を開閉する通気シートと、上記出入口開口の上縁上側であって上記一対の支柱間に回転可能に架設され回転により上記通気シートを巻き取り巻き戻しして該通気シートによる上記出入口開口の開閉を行なわせる通気開閉シャフトと、該通気開閉シャフトを回転駆動する通気開閉シャフト駆動機構とを備えて構成している。
【００１３】
これにより、被覆シートの開時において、通気開閉シャフト駆動機構を駆動して、通気開閉シャフトを回転させ、通気シートを被覆開閉シャフトから巻き戻すと、出入口開口を通気シートによって遮断できる。このため、網状部を通して通気を行なうことができる。この場合、出入口開口を全開した場合に比較して、通気がやわらかいものになり、作物に適度な通気環境を提供できるようになる。また、網状部として、昆虫の侵入を防止できるメッシュのものを用いれば、害虫の侵入を防止することができる。
【００１４】
また、必要に応じ、上記通気シートの下側縁に該下側縁に沿うロッドを付設し、上記支柱に上記通気シートの巻き取り巻き戻し時に上記ロッドの端部をガイドするガイドレール部を設けた構成としている。通気シートの巻き取り巻き戻しの際に、通気シートが下側縁のロッドに引っ張られるのでよく展張し、また、ロッドはガイドレール部にガイドされるので、通気シートの下側縁の上下動が円滑に行なわれ、開閉が確実に行なわれる。
【００１５】
更に、必要に応じ、上記通気開閉シャフト駆動機構を、上記通気開閉シャフトの端部に設けられチェーンが巻き掛けられるスプロケットと、該スプロケットに巻き掛けられ上記支柱に沿って吊下されるエンドレスのチェーンとを備えて構成している。構造を簡単にして安価に製造することができ、汎用性を向上させることができる。
【考案の効果】
【００１６】
本考案の簡易ハウスによれば、出入口開口を、出入口開口の上側に設けた被覆開閉シャフトに巻き取り巻き戻しされる被覆シートにより開閉するので、従来の引戸のように、出入口開口の左右方向略半分の大きさの矩形部分を出入口開口の両側に確保しなくても良くなり、それだけ、出入口開口を妻面に対してできるだけ大きく形成できる。その結果、トラクタや耕運機などの車両をハウス本体内に入れて作業をしたいような場合に、これに容易に対応できる。また、資材や作物の搬入，搬出を容易に行なうことができるようになる。更に、被覆開閉シャフトを回転させて、被覆シートを被覆開閉シャフトに巻き取り巻き戻しする構造なので、構造が簡易であり、安価にすることができる等の効果を奏する。
【考案を実施するための最良の形態】
【００１７】
以下、添付図面に基づいて、本考案の実施の形態に係る簡易ハウスについて詳細に説明する。
図１乃至図６に示すように、本考案の実施の形態に係る簡易ハウスＨは、骨組２に樹脂シート３を被覆して内部空間を形成するハウス本体１を有している。ハウス本体１は、ドーム状の屋根４と、屋根４の長手方向の両側を支持する一対の外側壁面５と、屋根４の長手方向両端部を支持する一対の妻面６とを備えて構成されている。
【００１８】
一方の妻面６には、矩形状の出入口開口７が形成されている。出入口開口７は、出入口開口７の左右側の妻面部分６ａ，６ｂ及び上側の妻面部分６ｃができるだけ小さくなるように、妻面６を矩形状に切り抜いて形成されている。即ち、出入口開口７は、従来のように、出入口開口７の左右方向略半分の大きさの矩形部分を出入口開口７の両側に確保することなく、できるだけ大きくなるように形成されている。
【００１９】
そして、出入口開口７が設けられる妻面６側には、出入口開口７を開閉する開閉装置１０が備えられている。
開閉装置１０は、出入口開口７を覆う大きさの樹脂シートからなり出入口開口７を開閉する被覆シート１１を備えている。被覆シート１１は、ハウス本体１を構成する樹脂シートと同様の材質のもので、半透明の矩形状の樹脂シートである。被覆シート１１の下側縁には、下側縁に沿うロッド１２が付設されている。
【００２０】
また、開閉装置１０において、出入口開口７の両側縁外側には一対の支柱１３が夫々立設されている。各支柱１３は、図２及び図３に示すように、鋼管からなる柱体１３ａ，１３ｂをハウス本体１の長手方向に沿って２本並設して構成されており、下端が地面に埋設固定されている。
更に、被覆シート１１が巻回可能な被覆開閉シャフト１４が備えられている。被覆開閉シャフト１４は、出入口開口７の上縁上側であって一対の支柱１３間に回転可能に架設され回転により被覆シート１１を巻き取り巻き戻しして被覆シート１１による出入口開口７の開閉を行なわせる。被覆開閉シャフト１４の直径はロッド１２の直径と同じに設定されている。上記の各支柱１３において、一対の柱体１３ａ，１３ｂの間隔は、被覆開閉シャフト１４の直径の２倍より僅かに大きい間隔に設定されており、被覆開閉シャフト１４の両端部は、この柱体１３ａ，１３ｂ間に臨み、支柱１３を構成する柱体１３ａ，１３ｂの間に架設された軸受体１５に回転可能に支承されている。
【００２１】
更にまた、上記の各支柱１３において、ロッド１２の両端部は、軸受体１５の下側で上下動可能に柱体１３ａ，１３ｂ間に臨んで設けられている。そして、一対の柱体１３ａ，１３ｂが、支柱１３に設けられ被覆シート１１の巻き取り巻き戻し時にロッド１２の端部をガイドするガイドレール部１６として構成されている。
【００２２】
また、開閉装置１０は、被覆開閉シャフト１４を回転駆動する被覆開閉シャフト駆動機構２０を備えている。
被覆開閉シャフト駆動機構２０は、被覆開閉シャフト１４の端部に設けられチェーンが巻き掛けられるスプロケット２２と、スプロケット２２に巻き掛けられ支柱１３に沿って吊下されるエンドレスのチェーン２１とを備えて構成されている。
更に、支柱１３の中間部には、チェーン２１を係止してチェーン２１の移動を停止し、スプロケット２２の回動を停止して、被覆シート１１を所望の開閉位置に位置決めする位置決め用のフック部材２３が設けられている。
【００２３】
また、開閉装置１０においては、出入口開口７を覆う大きさのシートであって通気性の網状部３１（図６）を有し出入口開口７を開閉する通気シート３０を、上記の被覆シート１１の内側に備えている。通気シート３０は、ハウス本体１を構成する樹脂シートと同様の材質のもので半透明の矩形状の下側部３０ａを備えている。上記の網状部３１は、樹脂製の紐を編んで形成され、例えば、昆虫の侵入を防止できるメッシュのものが用いられ、下側部３０ａに連設されて上側部を構成する。被覆シート１１の下側部３０ａの下側縁には、下側縁に沿う上記ロッド１２と同径のロッド３２が付設されている。
【００２４】
更に、通気シート３０が巻回可能な通気開閉シャフト３４が備えられている。通気開閉シャフト３４は、出入口開口７の上縁上側であって一対の支柱１３間に回転可能に架設され回転により通気シート３０を巻き取り巻き戻しして通気シート３０による出入口開口７の開閉を行なわせる。通気開閉シャフト３４の直径はロッド３２の直径と同じに設定されている。通気開閉シャフト３４の両端部は、支柱１３の柱体１３ａ，１３ｂ間に臨み、上記の軸受体１５の下側であって、柱体１３ａ，１３ｂの間に架設された軸受体３５に回転可能に支承されている。
【００２５】
更にまた、各支柱１３において、ロッド３２の両端部は、軸受体３５の下側で上下動可能に柱体１３ａ，１３ｂ間に臨んで設けられている。そして、一対の柱体１３ａ，１３ｂが、支柱１３に設けられ通気シート１１の巻き取り巻き戻し時にロッド３２の端部をガイドするガイドレール部３６として構成されている。即ち、上記ガイドレール部１６は、被覆シート１１のロッド３２のガイドレール部３６としても構成されている。これにより、ガイドレール部１６，３６はロッド１２とロッド３２とを互に上下位置関係を可変にガイドしている。
【００２６】
また、開閉装置１０は、通気開閉シャフト３４を回転駆動する通気開閉シャフト駆動機構４０を備えている。
通気開閉シャフト駆動機構４０は、通気開閉シャフト３４の端部に設けられチェーンが巻き掛けられるスプロケット４２と、スプロケット４２に巻き掛けられ支柱１３に沿って吊下されるエンドレスのチェーン４１とを備えて構成されている。
更に、支柱１３の中間部には、チェーン４１を係止してチェーン４１の移動を停止し、スプロケット４２の回動を停止して、通気シート３０を所望の開閉位置に位置決めする位置決め用のフック部材４３が設けられている。
【００２７】
従って、本考案の実施の形態に係る簡易ハウスＨにおいて、開閉装置１０を用いて、出入口開口７の開閉を行なうときは、以下のようにして行なう。
（１）出入口開口７を開く場合
出入口開口７を開く場合は、図１及び図４に示すように、被覆シート１１と通気シート３０との両者を開にする。この場合、通気開閉シャフト駆動機構４０のチェーン４１によりスプロケット４２を介して通気開閉シャフト３４を回転させて、通気シート３０を通気開閉シャフト３４に巻き取る。また、被覆開閉シャフト駆動機構２０のチェーン２１によりスプロケット２２を介して被覆開閉シャフト１４を回転させて、被覆シート１１を被覆開閉シャフト１４に巻き取る。
【００２８】
この場合、出入口開口７は、出入口開口７の左右側の妻面部分６ａ，６ｂ及び上側の妻面部分６ｃをできるだけ小さくして、この出入口開口７の開口面積ができるだけ大きくなるように形成されているので、例えば、ハウス本体１の大きさにもよるが、トラクタや耕運機などの車両をハウス本体１内に入れて作業をしたいような場合に、これに容易に対応できる。また、資材や作物の搬入，搬出を容易に行なうことができるようになる。
【００２９】
（２）出入口開口７を閉じておく場合
出入口開口７を閉じておく場合は、図５に示すように、被覆シート１１と通気シート３０との両者を閉にする。この場合、通気開閉シャフト駆動機構４０のチェーン４１によりスプロケット４２を介して通気開閉シャフト３４を回転させて、通気シート３０を通気開閉シャフト３４から巻き戻し、ロッド３２を地面に接地させる。また、被覆開閉シャフト駆動機構２０のチェーン２１によりスプロケット２２を介して被覆開閉シャフト１４を回転させて、被覆シート１１を被覆開閉シャフト１４から巻き戻し、ロッド１２を地面に接地させる。尚、この場合、通気シート３０を開にした状態で、被覆シート１１のみを閉にしても良い。
これにより、ハウス本体１内が、被覆シート１１によって遮断される。
【００３０】
（３）通気シート３０のみを機能させる場合
出入口開口７を通気シート３０で覆い、一部通気を行なう場合には、図６に示すように、被覆シート１１を開にし、通気シート３０を閉にする。この場合、通気開閉シャフト駆動機構４０のチェーン４１によりスプロケット４２を介して通気開閉シャフト３４を回転させて、通気シート３０を通気開閉シャフト３４から巻き戻し、ロッド３２を地面に接地させる。また、被覆開閉シャフト駆動機構２０のチェーン２１によりスプロケット２２を介して被覆開閉シャフト１４を回転させて、被覆シート１１を被覆開閉シャフト１４に巻き取る。
【００３１】
これにより、通気シート３０は網状部３１を備えているので、出入口開口７を全開した場合に比較して、通気がやわらかいものになり、作物に適度な通気環境を提供できるようになる。この場合、網状部３１として、昆虫の侵入を防止できるメッシュのものを用いれば、害虫の侵入を防止することができる。
【００３２】
このように、チェーン２１，４１の操作により容易に被覆シート１１及び通気シート３０の開閉を行なうことができる。この場合、ロッド１２，３２はガイドレール部１６，３６でガイドさせられるので確実に開閉動作が行なわれる。更に、被覆シート１１及び通気シート３０を、被覆開閉シャフト１４，通気開閉シャフト３４を回転させてこれらに巻き取り巻き戻しする構造なので、構造が簡易であり、安価にすることができる。
【００３３】
尚、上記実施の形態において、妻面６と被覆開閉シャフト１４及び通気開閉シャフト３４との間に隙間が開くが、屋根シートを延設してこの被覆開閉シャフト１４及び通気開閉シャフト３４の上側を覆うようにすれば、この隙間からの雨水の侵入を防止することができ、より望ましい。また、妻面６と支柱１３との間もシートで塞ぐようにすれば、雨水の侵入を防止することができ、より望ましい。
【図面の簡単な説明】
【００３４】
【図１】本考案の実施の形態に係る簡易ハウスをその被覆シートが開閉過程にある状態で示す正面図である。
【図２】本考案の実施の形態に係る簡易ハウスの開閉装置を示す斜視図である。
【図３】本考案の実施の形態に係る簡易ハウスの開閉装置を示し、（ａ）は側面図、（ｂ）は正面一部断面図である。
【図４】本考案の実施の形態に係る簡易ハウスをその被覆シート及び通気シートを開にした状態で示す正面図である。
【図５】本考案の実施の形態に係る簡易ハウスをその被覆シート及び通気シートを閉にした状態で示す正面図である。
【図６】本考案の実施の形態に係る簡易ハウスをその被覆シートを開にし通気シートを閉にした状態で示す正面図である。
【図７】従来の簡易ハウスの開閉装置の一例を示す図である。
【符号の説明】
【００３５】
Ｈ  簡易ハウス
１  ハウス本体
２  骨組
３  樹脂シート
４  屋根
５  外側壁面
６  妻面
７  出入口開口
１０  開閉装置
１１  被覆シート
１２  ロッド
１３  支柱
１３ａ，１３ｂ  柱体
１４  被覆開閉シャフト
１５  軸受体
１６  ガイドレール部
２０  被覆開閉シャフト駆動機構
２１  チェーン
２２  スプロケット
２３  フック部材
３０  通気シート
３１  網状部
３２  ロッド
３４  通気開閉シャフト
３５  軸受体
３６  ガイドレール部
４０  通気開閉シャフト駆動機構
４１  チェーン
４２  スプロケット
４３  フック部材
【図１】
0003118861.tif 000003
【図２】
0003118861.tif 000004
【図３】
0003118861.tif 000005
【図４】
0003118861.tif 000006
【図５】
0003118861.tif 000007
【図６】
0003118861.tif 000008
【図７】
0003118861.tif 000009